(57)【要約】      （修正有）【課題】複数の異なる雰囲気で物品を撮影することができる写真撮影用ボードを提供する。【解決手段】写真撮影用ボード１は、写真撮影時に被写体を載置するための写真撮影用ボード１であって、長方形の第１領域１１と、第１領域１１の１つの辺に接し、かつ曲線状の辺を含む第２領域１２と、を有する板状部材を有する。第２領域１２は、例えば半円形状である。板状部材は、均一な厚みを有する板２１と、第１領域１１及び第２領域１２に連続して貼られたシート２２と、を有してもよい。【選択図】図２
0003220410.tif 000002
【実用新案登録請求の範囲】
【請求項１】
写真撮影時に被写体を載置するための写真撮影用ボードであって、
長方形の第１領域と、曲線状の辺を含む第２領域と、を有する板状部材を有することを特徴とする写真撮影用ボード。
【請求項２】
前記第２領域が半円形状であることを特徴とする、
請求項１に記載の写真撮影用ボード。
【請求項３】
前記板状部材は、
均一な厚みを有する板と、
前記第１領域及び前記第２領域に連続して貼られたシートと、
を有することを特徴とする、
請求項１又は２に記載の写真撮影用ボード。
【請求項４】
前記板状部材の少なくとも一つの面において、前記第１領域及び前記第２領域に連続する模様が描かれていることを特徴とする、
請求項１から３のいずれか一項に記載の写真撮影用ボード。
【考案の詳細な説明】
【技術分野】
【０００１】
本考案は、写真撮影用ボードに関する。
【背景技術】
【０００２】
従来、写真撮影時に使用する写真撮影用ボードが知られている（例えば、特許文献１を参照）。
【先行技術文献】
【特許文献】
【０００３】
【特許文献１】実用新案登録第３２１６９４０号公報
【考案の概要】
【考案が解決しようとする課題】
【０００４】
従来の写真撮影用ボードは長方形であった。しかしながら、丸いテーブルに物品を置いた雰囲気で物品の写真を撮影したい場合、長方形の写真撮影ボードを用いることができないという問題が生じていた。
【０００５】
そこで、本考案はこれらの点に鑑みてなされたものであり、複数の異なる雰囲気で物品を撮影することを可能にする写真撮影用ボードを提供することを目的とする。
【課題を解決するための手段】
【０００６】
本考案の写真撮影用ボードは、写真撮影時に被写体を載置するための写真撮影用ボードであって、長方形の第１領域と、曲線状の辺を含む第２領域と、を有する板状部材を有することを特徴とする。
【０００７】
前記第２領域は、例えば半円形状である。前記板状部材は、均一な厚みを有する板と、前記第１領域及び前記第２領域に連続して貼られたシートと、を有してもよい。
【０００８】
前記板状部材の少なくとも一つの面において、前記第１領域及び前記第２領域に連続する模様が描かれていてもよい。
【考案の効果】
【０００９】
本考案によれば、複数の異なる雰囲気で物品を撮影することができるという効果を奏する。
【図面の簡単な説明】
【００１０】
【図１】写真撮影用ボードの斜視図である。
【図２】写真撮影用ボードの構造を示す図である。
【図３】写真撮影用ボードの変形例の平面図である。
【図４】写真撮影用ボードの変形例の構造を示す図である。
【考案を実施するための形態】
【００１１】
［写真撮影用ボード１の構成］
図１は、第１の実施形態の写真撮影用ボード１の斜視図である。写真撮影用ボード１は、写真撮影時に被写体となる物品を載置するために用いられる。
【００１２】
図２は、写真撮影用ボードの構造を示す図である。図２（ａ）は、第１の実施形態の写真撮影用ボード１の平面図である。写真撮影用ボード１は、長方形の第１領域１１と、曲線状の辺を含む第２領域１２とを有する。本実施形態において、第２領域１２は半円形状である。
【００１３】
図２（ｂ）は、図２（ａ）のＡ−Ａ断面図である。写真撮影用ボード１は、板状部材を有する。この板状部材は、例えば、均一な厚みを有する板２１と、板２１における第１領域１１及び第２領域１２に連続して貼られたシート２２とを有する。
【００１４】
板２１の材質は任意であるが、例えばシナ合板により形成されている。板２１は、第１領域１１と第２領域１２とにおいて連続する１枚の板により形成されていてもよく、第１領域１１に対応する板と第２領域１２に対応する板とが結合されることにより形成されていてもよい。
【００１５】
図２（ａ）に図示される板状部材の平面には、第１領域１１及び第２領域１２が連続する模様（例えば、大理石の模様）が描かれている。この連続する模様は、例えば、第１領域１１及び前記第２領域１２に連続して貼られたシート２２に描かれている。
【００１６】
ユーザは、第１領域１１に被写体を載置した場合は、四角形のテーブルに被写体を載置している場合のように被写体の写真を撮影することができる。また、ユーザは、第２領域１２に被写体を載置した場合は、円形のテーブルに被写体を載置している場合のように被写体の写真を撮影することができる。このように、写真撮影用ボード１は、長方形の第１領域１１と、曲線状の辺を含む第２領域１２とを有するので、ユーザは１枚の写真撮影用ボード１を使用して、複数の異なる雰囲気の写真を撮影することができる。
【００１７】
なお、写真撮影用ボード１の縦方向（例えば第１領域１１の長手方向）の長さ、横方向（第１領域１１と第２領域１２とを結ぶ方向）の長さ、及び厚み方向の長さを合算した値は、１６０ｃｍ未満であることが望ましい。写真撮影用ボード１がこのような大きさであることにより、ユーザが写真撮影用ボード１を運搬しやすく、運送費用を削減することもできる。
【００１８】
［第１変形例］
図３は、第１変形例に係る写真撮影用ボード２の平面図である。写真撮影用ボード２は、写真撮影用ボード１における半円形状の第２領域１２の代わりに、楕円の一部に対応する形状の第２領域１２ａを有する点で、写真撮影用ボード１と異なる。第２領域１２の形状は、楕円の一部に限らず、曲線状の辺を有する他の任意の形状であってもよい。
【００１９】
［第２変形例］
以上の説明においては、写真撮影用ボード１がシート２２を有している場合を例示したが、写真撮影用ボード１がシート２２を有しておらず、板２１の少なくとも一つの面において、第１領域１１及び第２領域１２に連続する模様が描かれていてもよい。この場合、模様は、例えば塗料によって描かれる。
【００２０】
［第３変形例］
図４は、第３変形例に係る写真撮影用ボード３の構造を示す図である。写真撮影用ボード３においては、第１領域１１が正方形の半分の形状であり、第２領域１２が、第１領域の短手方向の長さを半径とする半円である。このようにすることで、写真撮影用ボード３は、第１領域の長手方向の長さを１辺の長さとする正方形に収まるので、運搬しやすくなる。
【００２１】
［本実施形態に係る写真撮影用ボードによる効果］
以上説明したように、本実施形態に係る写真撮影用ボード１、２、３は、長方形の第１領域１１と、曲線状の辺を含む第２領域１２とを有する。写真撮影用ボード１、２、３がこのような構成を有することにより、写真撮影用ボード１、２、３を使用して物品を撮影するユーザは、複数の異なる雰囲気で物品を容易に撮影することができる。
【００２２】
以上、本考案を実施の形態を用いて説明したが、本考案の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本考案の実施の形態に含まれる。組み合わせによって生じる新たな実施の形態の効果は、もとの実施の形態の効果を合わせ持つ。
【符号の説明】
【００２３】
１  写真撮影用ボード
２  写真撮影用ボード
３  写真撮影用ボード
１１  第１領域
１２  第２領域
２１  板
２２  シート
【図１】
0003220410.tif 000003
【図２】
0003220410.tif 000004
【図３】
0003220410.tif 000005
【図４】
0003220410.tif 000006
【手続補正書】
【提出日】平成31年1月7日(2019.1.7)
【手続補正１】
【補正対象書類名】実用新案登録請求の範囲
【補正対象項目名】全文
【補正方法】変更
【補正の内容】
【実用新案登録請求の範囲】
【請求項１】
写真撮影時に被写体を載置するための写真撮影用ボードであって、
長方形の第１領域と、前記第１領域の１つの辺に接し、かつ曲線状の辺を含む第２領域と、を有する板状部材を有することを特徴とする写真撮影用ボード。
【請求項２】
前記第２領域が半円形状であることを特徴とする、
請求項１に記載の写真撮影用ボード。
【請求項３】
前記板状部材は、
均一な厚みを有する板と、
前記第１領域及び前記第２領域に連続して貼られたシートと、
を有することを特徴とする、
請求項１又は２に記載の写真撮影用ボード。
【請求項４】
前記板状部材の少なくとも一つの面において、前記第１領域及び前記第２領域に連続する模様が描かれていることを特徴とする、
請求項１から３のいずれか一項に記載の写真撮影用ボード。